(57)【特許請求の範囲】
【請求項１】
自局のセルに隣接するセルの第１リストを自局のセルごとに記憶する近隣セル情報記憶手段と、
前記第１リストを用いて、自局に隣接する他の基地局装置のセルと前記他の基地局装置のセルに隣接する自局のセルとの組合せを含む第１通知メッセージを生成し、前記第１通知メッセージを前記他の基地局装置へ送信する通知手段と、 
前記第１リストが変更された場合に、前記他の基地局装置のセルに隣接するセルの第２リストを前記他の基地局装置のセルごとに記憶する前記他の基地局装置に対して、前記他の基地局装置が前記第２リストを用いて生成する第２通知メッセージであって、自局のセルと自局のセルに隣接する前記他の基地局装置のセルとの組合せを含む前記第２通知メッセージの自局への送信を要求する要求手段と、
前記要求に応じて前記他の基地局装置から送信された前記第２通知メッセージに基づいて、前記第１リストを修復する修復手段と、
を備えることを特徴とする基地局装置。
【請求項２】
ハンドオーバを制御するための制御情報を自局のセルごとに記憶する自局セル情報記憶手段をさらに備え、
前記通知手段は、前記他の基地局装置のセルに隣接する自局のセルに対応する前記制御情報を前記自局セル情報記憶手段から取得し、前記第１通知メッセージに含ませることを特徴とする請求項１に記載の基地局装置。
【請求項３】
前記通知手段は、自局との接続が新たに検出された前記他の基地局装置を対象として前記第１通知メッセージを生成することを特徴とする請求項１または２に記載の基地局装置。
【請求項４】
前記通知手段は、前記第１リストが変更された場合に、前記第１通知メッセージを生成することを特徴とする請求項１から３のいずれか１つに記載の基地局装置。
【請求項５】
前記通知手段は、前記第１通知メッセージの送信を要求された場合に、要求元の前記他の基地局装置を対象として前記第１通知メッセージを生成することを特徴とする請求項１から４のいずれか１つに記載の基地局装置。
【請求項６】
前記第２通知メッセージに含まれる前記組合せのうち、前記近隣セル情報記憶手段に記憶されていない組合せを前記近隣セル情報記憶手段に記憶させる近隣セル情報更新手段をさらに備えることを特徴とする請求項１から５のいずれか１つに記載の基地局装置。
【請求項７】
自局のセルに隣接するセルの第１リストを自局のセルごとに記憶する近隣セル情報記憶手段を備える基地局装置において実行される近隣セル情報管理プログラムであって、
前記第１リストを用いて、自局に隣接する他の基地局装置のセルと前記他の基地局装置のセルに隣接する自局のセルとの組合せを含む第１通知メッセージを生成し、前記第１通知メッセージを前記他の基地局装置へ送信する通知手順と、
前記第１リストが変更された場合に、前記他の基地局装置のセルに隣接するセルの第２リストを前記他の基地局装置のセルごとに記憶する前記他の基地局装置に対して、前記他の基地局装置が前記第２リストを用いて生成する第２通知メッセージであって、自局のセルと自局のセルに隣接する前記他の基地局装置のセルとの組合せを含む前記第２通知メッセージの自局への送信を要求する要求手順と、
前記要求に応じて前記他の基地局装置から送信された前記第２通知メッセージに基づいて、前記第１リストを修復する修復手順と、
をプロセッサに実行させることを特徴とする近隣セル情報管理プログラム。
【請求項８】
自局のセルに隣接するセルの第１リストを自局のセルごとに記憶する近隣セル情報記憶手段を備える基地局装置における近隣セル情報管理方法であって、
前記第１リストを用いて、自局に隣接する他の基地局装置のセルと前記他の基地局装置のセルに隣接する自局のセルとの組合せを含む第１通知メッセージを生成し、前記第１通知メッセージを前記他の基地局装置へ送信する通知工程と、
前記第１リストが変更された場合に、前記他の基地局装置のセルに隣接するセルの第２リストを前記他の基地局装置のセルごとに記憶する前記他の基地局装置に対して、前記他の基地局装置が前記第２リストを用いて生成する第２通知メッセージであって、自局のセルと自局のセルに隣接する前記他の基地局装置のセルとの組合せを含む前記第２通知メッセージの自局への送信を要求する要求工程と、
前記要求に応じて前記他の基地局装置から送信された前記第２通知メッセージに基づいて、前記第１リストを修復する修復工程と、
を含むことを特徴とする近隣セル情報管理方法。
【発明の詳細な説明】
【技術分野】
【０００１】
この発明は、基地局装置、近隣セル情報管理プログラムおよび近隣セル情報管理方法に関し、特に、上位装置や回線に負荷をかけることなく、近隣セル情報の維持管理に要する工数を低減させることができる基地局装置、近隣セル情報管理プログラムおよび近隣セル情報管理方法に関する。
【背景技術】
【０００２】
複数のセルの組合せによって通信エリアを構成する移動体無線通信においては、携帯電話等の移動機が、あるセルから他のセルへ移動した場合にも通信が切断されることがないように、ハンドオーバと呼ばれる処理を実行することが必要となっている。ハンドオーバを実現するため、移動機が在圏しているセルを収容している基地局装置は、移動機に対して、その移動機が在圏しているセルの周辺のセルを近隣セルとして通知する。そして、移動機は、近隣セルからの電波の受信状況を基地局装置に送信し、基地局装置は、受信状況が所定の条件を満たすセルがあった場合に、そのセルをハンドオーバ先と判定する。
【０００３】
このような仕組みを実現するために、基地局装置は、自装置が収容するセルごとに、周辺のセルを近隣セル情報（ＮＣＬ：Neighboring Cell List）として保持している。セルの周辺には他の基地局によって収容されているセルが存在している場合があり、このような場合には、近隣セル情報の一部として、他の基地局によって収容されているセルが含まれることになる。
【０００４】
このように、他の基地局によって収容されているセルを近隣セル情報に含めることは、新たな基地局が増設された場合や、既存の基地局にセルが増設された場合に、隣接する基地局装置の近隣セル情報も見直すことを必要にし、近隣セルの維持管理工数を増大させている。例えば、基地局装置Ａにセルａが増設された場合、セルａが基地局装置Ｂのセルｂに隣接している場合には、セルａの周辺のセルの情報を近隣セル情報として基地局装置Ａに設定するだけではなく、セルｂの周辺のセルとしてセルａが含まれるように基地局装置Ｂの近隣セル情報も更新しなければならない。
【０００５】
近隣セル情報の維持管理工数を軽減させることを目的として、基地局装置の上位装置である移動体交換センタ（ＭＣＳ）が情報収集を制御し、セルの隣接状況を判定して、基地局装置に対して近隣セル情報の更新を指示する技術が提案されている。また、移動機がハンドオーバ実行時に基地局装置へ送信する情報に基づいて、基地局装置間で情報をやりとりして近隣セル情報を更新する技術も提案されている。
【０００６】
【特許文献１】特平１１−３３１９３１号公報
【特許文献２】特開２０００−１３８４３号公報
【発明の開示】
【発明が解決しようとする課題】
【０００７】
しかしながら、移動体交換センタ等の上位装置がセルの隣接状況を判定する方式には、多数の基地局装置においてセルの増設を行おうとした場合等に上位装置に多大な負荷がかかるという問題がある。また、移動機から送信される情報に基づいて基地局装置間で情報をやりとりする方式には、移動機の数が増えるほど、基地局装置間でやりとりされる情報の量が増大し、回線が逼迫するという問題がある。
【０００８】
開示の技術は、上述した従来技術による問題点を解消するためになされたものであり、上位装置や回線に負荷をかけることなく、近隣セル情報の維持管理に要する工数を低減させることができる基地局装置、近隣セル情報管理プログラムおよび近隣セル情報管理方法を提供することを目的とする。
【課題を解決するための手段】
【０００９】
上述した課題を解決し、目的を達成するため、本願の開示する近隣セル情報管理方法は、一つの態様において、自局のセルに隣接するセルのリストを自局のセルごとに記憶する第１の近隣セル情報記憶手段を備える第１の基地局装置と、自局のセルに隣接するセルのリストを自局のセルごとに記憶する第２の近隣セル情報記憶手段を備える第２の基地局装置とによって実行される近隣セル情報管理方法であって、前記第１の基地局装置が、前記第１の近隣セル情報記憶手段から前記第２の基地局装置のセルと前記第２の基地局装置のセルに隣接する自局のセルの組合せを抽出して、抽出された組合せを含む通知メッセージを生成し、該通知メッセージを前記第２の基地局装置へ送信する通知工程と、前記第２の基地局装置が、前記通知メッセージに含まれる組合せのうち、前記第２の近隣セル情報記憶手段に記憶されていない組合せを前記第２の近隣セル情報記憶手段に記憶させる近隣セル情報更新工程とを含む。
【００１０】
この発明の態様によれば、基地局同士の自律動作によって近隣セル情報の更新が自動的に実行されるので、上位装置や回線に負荷をかけることなく、近隣セル情報の維持管理に要する工数を低減させることができる。
【００１１】
なお、本願の開示する近隣セル情報管理方法の構成要素、表現または構成要素の任意の組合せを、方法、装置、システム、コンピュータプログラム、記録媒体、データ構造などに適用したものも上述した課題を解決するために有効である。
【発明の効果】
【００１２】
本願の開示する基地局装置、近隣セル情報管理プログラムおよび近隣セル情報管理方法の一つの態様によれば、上位装置や回線に負荷をかけることなく、近隣セル情報の維持管理に要する工数を低減させることができるという効果を奏する。
【発明を実施するための最良の形態】
【００１３】
以下に添付図面を参照して、本願の開示する基地局装置、近隣セル情報管理プログラムおよび近隣セル情報管理方法の好適な実施の形態を詳細に説明する。
【実施例】
【００１４】
まず、本実施例に係る近隣セル情報更新方法の概要について説明する。図１は、本実施例に係る近隣セル情報更新方法の概要について説明するための図である。この図は、基地局装置＃１と基地局装置＃２に隣接する位置に基地局装置＃３が新たに増設される場合において、近隣セル情報がどのように更新されるかを示している。なお、本願においてセルの番号を＃ｘ−ｙの形式で表示する場合、ｘは、基地局装置の識別番号を示し、ｙは、基地局装置ごとに設定されているセルの識別番号を示すものとする。
【００１５】
基地局装置＃１は、セル＃１−０〜＃１−２を収容している。そして、セル＃１−０〜＃１−２は、互いに隣接し、セル＃１−１は、セル＃２−０にも隣接し、セル＃１−２は、セル＃２−１にも隣接している。このため、基地局装置＃３の増設前は、基地局装置＃１の近隣セル情報１１には、識別番号０のセルの周辺には、セル＃１−１およびセル＃１−２があり、識別番号１のセルの周辺には、セル＃１−０およびセル＃１−２に加えてセル＃２−０があり、識別番号２のセルの周辺には、セル＃１−０およびセル＃１−１に加えてセル＃２−１がある旨が設定される。
【００１６】
また、基地局装置＃２は、セル＃２−０〜＃２−２を収容している。そして、セル＃２−０〜＃２−２は、互いに隣接し、セル＃２−０は、セル＃１−１にも隣接し、セル＃２−１は、セル＃１−２にも隣接している。このため、基地局装置＃３の増設前は、基地局装置＃２の近隣セル情報１２には、識別番号０のセルの周辺には、セル＃２−１およびセル＃２−２に加えてセル＃１−１があり、識別番号１のセルの周辺には、セル＃２−０およびセル＃２−２に加えてセル＃１−２があり、識別番号２のセルの周辺には、セル＃２−０およびセル＃２−１がある旨が設定される。
【００１７】
ここで、基地局装置＃３が設置されると、従来の手順により、基地局装置＃３には近隣セル情報１３が設定される。基地局装置＃３は、セル＃３−０〜＃３−２を収容しており、セル＃３−０は、セル＃３−２、セル＃１−０、セル＃１−１に隣接し、セル＃３−１は、セル＃３−２、セル＃１−１、セル＃２−０に隣接し、セル＃３−２は、セル＃３−０、セル＃３−１に隣接している。このため、基地局装置＃３の近隣セル情報１３には、識別番号０のセルの周辺には、セル＃３−２、セル＃１−０、セル＃１−１があり、識別番号１のセルの周辺には、セル＃３−２、セル＃１−１、セル＃２−０があり、識別番号２のセルの周辺には、セル＃３−０、セル＃３−１がある旨が設定される。
【００１８】
そして、基地局装置＃３は、起動後に基地局装置＃１を認識すると、近隣セル情報１３から、基地局装置＃１に収容されているセルに隣接している自局のセルの情報を抽出し、抽出した情報を近隣局情報通知メッセージ２１として基地局装置＃１へ通知する。この例の場合、近隣セル情報１３を参照すると、識別番号０のセルがセル＃１−０とセル＃１−１に隣接しており、識別番号＃１のセルがセル＃１−１に隣接していることが分かる。そこで、基地局装置＃３は、近隣局情報通知メッセージ２１として、識別番号０のセルがセル＃３−０に隣接しており、識別番号１のセルがセル＃３−０およびセル＃３−１と隣接している旨を基地局装置＃１へ通知する。
【００１９】
基地局装置＃１は、近隣局情報通知メッセージ２１を受信すると、そこに設定されている情報を近隣セル情報１１と比較し、未登録のセルの情報があれば、近隣セル情報１１に登録する。この例の場合、識別番号０のセルがセル＃３−０に隣接している旨の情報と、識別番号１のセルがセル＃３−０およびセル＃３−１と隣接している旨の情報が近隣セル情報１１に登録される。
【００２０】
また、基地局装置＃３は、起動後に基地局装置＃２を認識すると、近隣セル情報１３から、基地局装置＃２に収容されているセルに隣接している自局のセルの情報を抽出し、抽出した情報を近隣局情報通知メッセージ２２として基地局装置＃２へ通知する。この例の場合、近隣セル情報１３を参照すると、識別番号１のセルがセル＃２−０に隣接していることが分かる。そこで、基地局装置＃３は、近隣局情報通知メッセージ２２として、識別番号０のセルがセル＃３−１に隣接している旨を基地局装置＃２へ通知する。
【００２１】
基地局装置＃２は、近隣局情報通知メッセージ２２を受信すると、そこに設定されている情報を近隣セル情報１２と比較し、未登録のセルの情報があれば、近隣セル情報１２に登録する。この例の場合、識別番号０のセルがセル＃３−１に隣接している旨の情報が近隣セル情報１２に登録される。
【００２２】
このように、本実施例に係る近隣セル情報更新方法では、基地局装置が、隣接する基地局装置のセルに隣接している自局のセルの情報を抽出し、隣接する基地局装置に対して送信することにより、隣接する基地局装置の近隣セル情報が更新される。この方法によれば、新規に増設された基地局装置、もしくは、セルが増設された基地局装置の近隣セル情報を正しく設定すれば、隣接する他の基地局装置の近隣セル情報の更新は自動的に行われるので、近隣セル情報の維持管理に要する工数を大幅に低減することができる。
【００２３】
また、この方法では、近隣セル情報の更新に際して、上位装置が特別な制御を行う必要がないので、上位装置の負荷の増大を抑止することができる。また、この方法では、移動機から送信される情報に基づいて近隣セル情報を更新するわけではないため、移動機の数の増加にともなって、回線が逼迫することもない。
【００２４】
なお、図１では、基地局装置が増設される場合を示したが、既存の基地局装置にセルが増設された場合等にも、セルが増設された基地局装置の近隣セル情報が変更されたことを契機として、基地局装置間で近隣局情報通知メッセージの送受信が行われ、隣接する基地局装置の近隣セル情報が自動的に更新される。
【００２５】
次に、本実施例に係る近隣セル情報更新方法を実行する基地局装置の構成について説明する。図２は、本実施例に係る近隣セル情報更新方法を実行する基地局装置１０１の構成を示す機能ブロック図である。なお、図２においては、説明を簡単にするため、近隣セル情報の更新に関連する構成のみを図示している。
【００２６】
基地局装置１０１は、図１に示した基地局装置＃１に相当する装置であり、記憶部１１０と、保守運用部１２０と、隣接基地局監視部１３０と、メッセージ送受信部１４０と、近隣セル情報管理部１５０とを有する。なお、図１に示した基地局装置＃２および基地局装置＃３も基地局装置１０１と同様の構成を有する。
【００２７】
記憶部１１０は、各種情報を記憶する記憶デバイスであり、隣接基地局情報１１１と、近隣セル情報１１２と、自局セル情報１１３と、隣接局セル情報１１４等を記憶する。なお、隣接基地局情報１１１、近隣セル情報１１２、自局セル情報１１３および隣接局セル情報１１４は、それぞれ、別個の記憶部に記憶されていてもよい。
【００２８】
隣接基地局情報１１１は、隣接する全ての基地局装置が登録される情報である。隣接基地局情報１１１のデータ構成を図３に示す。図３に示すように、隣接基地局情報１１１には、隣接する基地局装置の識別名と対応付けてＩＰアドレス等の接続に必要な情報が登録される。
【００２９】
近隣セル情報１１２は、自局のセルごとに周辺のセルのリストが登録される情報である。近隣セル情報１１２のデータ構成の一例を図４に示す。この例における近隣セル情報１１２の１行目は、自局の識別番号０のセルの周辺にセル＃１−１、セル＃１−２があることを示しており、２行目は、自局の識別番号１のセルの周辺にセル＃１−０、セル＃１−２、セル＃２−０があることを示しており、３行目は、自局の識別番号２のセルの周辺にセル＃１−０、セル＃１−１、セル＃２−１があることを示している。
【００３０】
自局セル情報１１３は、自局のセルに関する情報である。自局セル情報１１３のデータ構成の一例を図５に示す。図５に示すように、自局セル情報１１３には、自局のセルの識別番号に対応付けて、トランスポート情報やＭｅａｓｕｒｅｍｅｎｔ情報といったハンドオーバ制御等に必要な情報であるセル情報が登録される。
【００３１】
隣接局セル情報１１４は、自局のセルに隣接する他の基地局装置のセルに関する情報である。隣接局セル情報１１４のデータ構成の一例を図６に示す。図６に示すように、隣接局セル情報１１４には、隣接する他の基地局装置のセルの識別番号に対応付けて、トランスポート情報やＭｅａｓｕｒｅｍｅｎｔ情報といったハンドオーバ制御等に必要な情報であるセル情報が登録される。
【００３２】
保守運用部１２０は、保守運用局２００から送信されるコマンドや、当該の基地局装置１０１に投入される局データ３００に従って記憶部１１０に記憶されている各種情報を更新する。保守運用部１２０は、近隣セル情報１１２を更新した場合、その旨を近隣セル情報管理部１５０に通知する。
【００３３】
隣接基地局監視部１３０は、基地局装置間で制御情報をやりとりするための回線を介して、隣接基地局情報１１１に登録されている各基地局装置を監視対象として監視する。そして、隣接基地局監視部１３０は、監視対象の基地局装置が新たに検出された場合に、その旨を近隣セル情報管理部１５０の近隣セル情報通知部１５１に通知する。
【００３４】
近隣セル情報通知部１５１は、隣接基地局監視部１３０から通知を受けると、新たに検出された基地局装置のセルに隣接する自局のセルを近隣セル情報１１２から抽出して近隣局情報通知メッセージを生成し、生成された近隣局情報通知メッセージを、新たに検出された基地局装置へ送信させる。このように、基地局装置を新たに検出することを契機として近隣局情報通知メッセージを送信することにより、基地局装置の増設時に隣接する基地局装置の近隣セル情報を自動的に更新することが可能になっている。
【００３５】
メッセージ送受信部１４０は、図１に示した基地局装置＃２に相当する基地局装置１０２等との間で、近隣セル情報の更新に関連する各種メッセージの送受信を行う。例えば、メッセージ送受信部１４０は、近隣セル情報通知部１５１によって生成された近隣局情報通知メッセージを指定された基地局装置へ送信する。また、メッセージ送受信部１４０は、他の基地局装置から近隣局情報通知メッセージを受信すると、その近隣局情報通知メッセージを近隣セル情報管理部１５０の近隣セル情報更新部１５３へ転送して、近隣セル情報１１２の更新を行わせる。
【００３６】
近隣セル情報管理部１５０は、近隣セル情報１１２の管理を行う処理部であり、近隣セル情報通知部１５１と、近隣セル情報要求部１５２と、近隣セル情報更新部１５３とを有する。近隣セル情報通知部１５１は、上述したように、隣接基地局監視部１３０から新たな基地局装置の検出に関する通知を受けた場合に、その基地局装置のセルに隣接する自局のセルを近隣セル情報１１２から抽出して近隣局情報通知メッセージを生成する。
【００３７】
また、近隣セル情報通知部１５１は、近隣セル情報１１２を更新した旨の通知を保守運用部１２０から受けた場合に、隣接基地局情報１１１に登録されている各基地局装置を対象として、近隣局情報通知メッセージを生成し、生成された各近隣局情報通知メッセージを対応する基地局装置へ送信させる。このように、近隣セル情報１１２の更新を契機として隣接する全ての基地局装置へ向けて近隣局情報通知メッセージを送信することにより、自局における近隣セル情報１１２の更新内容を他の基地局装置に自動的に反映させることが可能になっている。
【００３８】
また、近隣セル情報通知部１５１は、近隣局情報通知メッセージの送信を要求する近隣局情報要求メッセージがメッセージ送受信部１４０にて受信された場合に、送信元の基地局装置のセルに隣接する自局のセルを近隣セル情報１１２から抽出して近隣局情報通知メッセージを生成し、生成された近隣局情報通知メッセージを近隣局情報要求メッセージの送信元の基地局装置へ送信させる。このように近隣局情報要求メッセージに対応して近隣局情報通知メッセージを送信することにより、任意のタイミングで近隣セル情報１１２の自動更新を行うことが可能になっている。
【００３９】
近隣局情報通知メッセージのフォーマットの一例を図７に示す。この例では、近隣局情報通知メッセージには、対象セル数と、対象セル数分の対象セルリストが含まれる。そして、各対象セルリストには、送信先の基地局装置におけるセルの識別番号である対象セル番号と、そのセルに隣接する自局のセルの数である近隣セルリスト数と、近隣セルリスト数分の近隣セルリストが含まれる。そして、各近隣セルリストには、対象セルに設定されているセルに隣接する自局のセルの識別番号である近隣セル番号と、その自局のセルの制御に必要なトランスポート情報やＭｅａｓｕｒｅｍｅｎｔ情報等のセル情報が含まれる。
【００４０】
近隣局情報通知メッセージの具体例を図８に示す。この例に示す近隣局情報通知メッセージ２１は、図１において示したものをより詳細に表したものである。なお、ここで、自局のセルの識別番号だけでなく、セル情報も含めて送信しているのは、ハンドオーバの制御を行うには、セルの識別番号だけでは十分でなく、トランスポート情報やＭｅａｓｕｒｅｍｅｎｔ情報等も必要になるためである。
【００４１】
近隣セル情報要求部１５２は、近隣局情報要求メッセージを生成し、他の基地局装置へ送信させる。例えば、近隣セル情報要求部１５２は、近隣セル情報１１２を更新した旨の通知を保守運用部１２０から受けた場合に、隣接基地局情報１１１に登録されている各基地局装置を対象として、近隣局情報要求メッセージを生成し、生成された各近隣局情報要求メッセージを対応する基地局装置へ送信させる。このように、近隣セル情報１１２の更新を契機として隣接する全ての基地局装置へ向けて近隣局情報要求メッセージを送信することにより、保守運用局２００からのコマンド等によって近隣セル情報の一部が誤って削除されることがあっても、他の基地局装置から送信される近隣局情報通知メッセージに基づいて近隣セル情報１１２が適切に修復される。
【００４２】
近隣セル情報更新部１５３は、メッセージ送受信部１４０において受信された近隣局情報通知メッセージに基づいて、近隣セル情報１１２と隣接局セル情報１１４を更新する。具体的には、近隣セル情報更新部１５３は、近隣局情報通知メッセージから自局のセルと送信元のセルの組合せを抽出し、近隣セル情報１１２に登録されていない組合せがあれば、その組合せを近隣セル情報１１２に登録し、その組合せに対応するセル情報を隣接局セル情報１１４に登録する。
【００４３】
次に、図２に示した近隣セル情報管理部１５０の動作について説明する。図９は、近隣セル情報通知部１５１による近隣局情報通知メッセージ生成処理の処理手順を示すフローチャートである。図９に示すように、近隣セル情報通知部１５１は、対象の基地局装置のセルを近隣セル情報１１２から抽出し（ステップＳ１０１）、抽出したセルに隣接する自局のセルを近隣セル情報１１２から取得する（ステップＳ１０２）。そして、近隣セル情報通知部１５１は、取得した自局のセルのセル情報を自局セル情報１１３から取得し（ステップＳ１０３）、これらの情報を基にして近隣局情報通知メッセージを編集する（ステップＳ１０４）。
【００４４】
図１０は、近隣セル情報更新部１５３による近隣セル情報更新処理の処理手順を示すフローチャートである。図１０に示すように、近隣セル情報更新部１５３は、受信された近隣局情報通知メッセージから自局のセルと隣接局のセルの組合せを１つ取得する（ステップＳ２０１）。そして、自局のセルと隣接局のセルの組合せを取得できた場合は（ステップＳ２０２否定）、近隣セル情報更新部１５３は、その組合せが近隣セル情報１１２に登録されているか確認する（ステップＳ２０３）。
【００４５】
そして、近隣セル情報１１２に登録されていなかった場合は（ステップＳ２０４否定）、近隣セル情報更新部１５３は、その組合せを近隣セル情報１１２に登録し（ステップＳ２０５）、さらに、その組合せに含まれる隣接局のセルと対応付けて近隣局情報通知メッセージに設定されているセル情報を隣接局セル情報１１４に登録する（ステップＳ２０６）。一方、近隣セル情報１１２に登録済であった場合は（ステップＳ２０４肯定）、近隣セル情報１１２と隣接局セル情報１１４の更新は行われない。
【００４６】
以上の手順が繰り返し実行され、受信された近隣局情報通知メッセージから自局のセルと隣接局のセルの組合せを全て取得済みとなった場合に（ステップＳ２０２肯定）、近隣セル情報更新部１５３は、近隣セル情報更新処理を完了する。
【００４７】
次に、基地局装置間の情報のやりとりについて具体例を示して説明する。図１１は、基地局装置＃１と基地局装置＃２に隣接する位置に基地局装置＃３が新たに増設された場合の動作を示すシーケンス図である。
【００４８】
基地局装置＃３の増設に際して、保守運用局２００から送信されるコマンド等によって基地局装置＃１と基地局装置＃２の隣接基地局情報１１１に基地局装置＃３の情報が登録される（ステップＳ３０１、ステップＳ３０２）。また、局データ３００の投入等によって基地局装置＃３の記憶部１１０に隣接基地局情報１１１、近隣セル情報１１２、自局セル情報１１３および隣接局セル情報１１４が記憶される（ステップＳ３０３）。これらの情報には、基地局装置＃１や基地局装置＃２に関する情報が予め適切に設定される。
【００４９】
そして、基地局装置＃３が立ち上げられると（ステップＳ３０４）、基地局装置＃１と基地局装置＃３の間、および、基地局装置＃２と基地局装置＃３の間にＸ２インターフェースを用いてＳＣＴＰ（Stream Control Transmission Protocol）コネクションが確立される（ステップＳ３０５、ステップＳ３０６）。
【００５０】
ＳＣＴＰコネクションの確立により、基地局装置＃１の隣接基地局監視部１３０において基地局装置＃３が検出され（ステップＳ３０７）、隣接基地局監視部１３０からの通知を契機として、近隣セル情報通知部１５１において基地局装置＃３を対象とする近隣局情報通知メッセージ生成処理が実行されるが（ステップＳ３０８）、この時点では基地局装置＃３のセルに関する情報は近隣セル情報１１２に含まれないため、近隣局情報通知メッセージは作成されない。
【００５１】
同様に、ＳＣＴＰコネクションの確立により、基地局装置＃２の隣接基地局監視部１３０において基地局装置＃３が検出され（ステップＳ３０９）、隣接基地局監視部１３０からの通知を契機として、近隣セル情報通知部１５１において基地局装置＃３を対象とする近隣局情報通知メッセージ生成処理が実行されるが（ステップＳ３１０）、この時点では基地局装置＃３のセルに関する情報は近隣セル情報１１２に含まれないため、近隣局情報通知メッセージは作成されない。
【００５２】
また、ＳＣＴＰコネクションの確立により、基地局装置＃３の隣接基地局監視部１３０において基地局装置＃１および基地局装置＃２が検出される（ステップＳ３１１）。そして、隣接基地局監視部１３０から基地局装置＃１の検出を通知されたことを契機として、近隣セル情報通知部１５１において基地局装置＃１を対象とする近隣局情報通知メッセージ生成処理が実行される（ステップＳ３１２）。基地局装置＃３の近隣セル情報１１２には基地局装置＃１のセルに関する情報も含まれているため、近隣局情報通知メッセージは正常に生成され、基地局装置＃１へ送信される（ステップＳ３１３）。そして、基地局装置＃１の近隣セル情報更新部１５３によって近隣セル情報更新処理が実行され、近隣セル情報１１２および隣接局セル情報１１４に基地局装置＃３のセルに関する情報が登録される（ステップＳ３１４）。
【００５３】
同様に、隣接基地局監視部１３０から基地局装置＃２の検出を通知されたことを契機として、近隣セル情報通知部１５１において基地局装置＃２を対象とする近隣局情報通知メッセージ生成処理が実行される（ステップＳ３１５）。基地局装置＃３の近隣セル情報１１２には基地局装置＃２のセルに関する情報も含まれているため、近隣局情報通知メッセージは正常に生成され、基地局装置＃２へ送信される（ステップＳ３１６）。そして、基地局装置＃２の近隣セル情報更新部１５３によって近隣セル情報更新処理が実行され、近隣セル情報１１２および隣接局セル情報１１４に基地局装置＃３のセルに関する情報が登録される（ステップＳ３１７）。
【００５４】
そして、基地局装置＃１および基地局装置＃２から基地局装置＃３に対して、近隣セル情報更新処理が正常に完了したことを示す近隣セル更新完了通知が応答される（ステップＳ３１８、ステップＳ３１９）。その後、基地局装置＃１および基地局装置＃２は、必要に応じて、自局のセルに在圏している移動機に報知している周辺セルの情報の更新を行う（ステップＳ３２０、ステップＳ３２１）。
【００５５】
図１２は、基地局装置＃３の近隣セル情報が変更された場合の動作を示すシーケンス図である。なお、ここでは、基地局装置＃３の隣接基地局情報１１１には、基地局装置＃１と基地局装置＃２の情報のみが登録されているものとする。
【００５６】
保守運用局２００から送信されたコマンドや投入された局データ３００によって基地局装置＃３の近隣セル情報１１２が変更されると（ステップＳ４０１）、保守運用部１２０の通知を契機として、近隣セル情報通知部１５１は、隣接基地局情報１１１を参照して、まず、基地局装置＃１を対象とする近隣局情報通知メッセージ生成処理を実行する（ステップＳ４０２）。生成された近隣局情報通知メッセージは、基地局装置＃１へ送信される（ステップＳ４０３）。そして、基地局装置＃１の近隣セル情報更新部１５３によって近隣セル情報更新処理が実行され、近隣セル情報１１２および隣接局セル情報１１４に基地局装置＃３のセルに関する情報が登録される（ステップＳ４０４）。
【００５７】
続いて、近隣セル情報通知部１５１は、隣接基地局情報１１１を参照して、基地局装置＃２を対象とする近隣局情報通知メッセージ生成処理を実行する（ステップＳ４０５）。生成された近隣局情報通知メッセージは、基地局装置＃２へ送信される（ステップＳ４０６）。そして、基地局装置＃２の近隣セル情報更新部１５３によって近隣セル情報更新処理が実行され、近隣セル情報１１２および隣接局セル情報１１４に基地局装置＃３のセルに関する情報が登録される（ステップＳ４０７）。
【００５８】
そして、基地局装置＃１および基地局装置＃２から基地局装置＃３に対して、近隣セル情報更新処理が正常に完了したことを示す近隣セル更新完了通知が応答される（ステップＳ４０８、ステップＳ４０９）。
【００５９】
また、保守運用部１２０の通知を契機として、近隣セル情報要求部１５２は、隣接基地局情報１１１を参照して、基地局装置＃１を対象とする近隣局情報要求メッセージと基地局装置＃２を対象とする近隣局情報要求メッセージを生成し、これらを対象の基地局装置へ送信させる（ステップＳ４１０、ステップＳ４１１）。
【００６０】
近隣局情報要求メッセージの受信を契機として、基地局装置＃１の近隣セル情報通知部１５１は、基地局装置＃３を対象とする近隣局情報通知メッセージ生成処理を実行し（ステップＳ４１２）、近隣局情報通知メッセージを基地局装置＃３へ送信させる（ステップＳ４１３）。そして、基地局装置＃３の近隣セル情報更新部１５３によって近隣セル情報更新処理が実行され、近隣セル情報１１２および隣接局セル情報１１４に基地局装置＃１のセルに関する情報が登録される（ステップＳ４１４）。そして、基地局装置＃３から基地局装置＃１へ近隣セル更新完了通知が応答される（ステップＳ４１５）。
【００６１】
同様に、近隣局情報要求メッセージの受信を契機として、基地局装置＃２の近隣セル情報通知部１５１は、基地局装置＃３を対象とする近隣局情報通知メッセージ生成処理を実行し（ステップＳ４１６）、近隣局情報通知メッセージを基地局装置＃３へ送信させる（ステップＳ４１７）。そして、基地局装置＃３の近隣セル情報更新部１５３によって近隣セル情報更新処理が実行され、近隣セル情報１１２および隣接局セル情報１１４に基地局装置＃２のセルに関する情報が登録される（ステップＳ４１８）。そして、基地局装置＃３から基地局装置＃２へ近隣セル更新完了通知が応答される（ステップＳ４１９）。
【００６２】
その後、基地局装置＃１、基地局装置＃２および基地局装置＃３は、必要に応じて、自局のセルに在圏している移動機に報知している周辺セルの情報の更新を行う（ステップＳ４２０、ステップＳ４２１、ステップＳ４２２）。
【００６３】
なお、図２に示した本実施例に係る基地局装置１０１の構成は、要旨を逸脱しない範囲で種々に変更することができる。例えば、基地局装置１０１の近隣セル情報管理部１５０の機能をソフトウェアとして実装し、これをＣＰＵ（Central Processing Unit）に実行させることにより、基地局装置１０１と同等の機能を実現することもできる。以下に、近隣セル情報管理部１５０の機能をソフトウェアとして実装した場合の基地局装置の構成の一例を示す。
【００６４】
図１３は、近隣セル情報管理プログラム１０６１を実行する場合の基地局装置の構成を示す機能ブロック図である。図１３に示す基地局装置１０００は、各種演算処理を実行するＣＰＵ１０１０と、保守要員等からのデータの入力を受け付ける入力装置１０２０と、記録媒体から局データ３００等を読み取る媒体読取り装置１０３０と、ネットワークを介して他の基地局装置等との間でデータの授受を行うネットワークインターフェース装置１０４０と、各種情報を一時記憶するＲＡＭ（Random Access Memory）１０５０と、フラッシュメモリ等の不揮発メモリ１０６０とをバス１０７０で接続して構成される。
【００６５】
そして、不揮発メモリ１０６０には、図２に示した近隣セル情報管理部１５０と同様の機能を有する近隣セル情報管理プログラム１０６１と、図２に示した記憶部１１０に記憶される各種データに対応する近隣セル情報管理用データ１０６２とが記憶される。なお、近隣セル情報管理用データ１０６２を、適宜分散させ、ネットワークを介して接続された他のコンピュータに記憶させておくこともできる。
【００６６】
そして、ＣＰＵ１０１０が近隣セル情報管理プログラム１０６１を不揮発メモリ１０６０から読み出してＲＡＭ１０５０に展開することにより、近隣セル情報管理プログラム１０６１は、近隣セル情報管理プロセス１０５１として機能するようになる。そして、近隣セル情報管理プロセス１０５１は、近隣セル情報管理用データ１０６２から読み出した情報等を適宜ＲＡＭ１０５０上の自身に割り当てられた領域に展開し、この展開したデータ等に基づいて各種データ処理を実行する。
【００６７】
なお、上記の近隣セル情報管理プログラム１０６１は、必ずしも不揮発メモリ１０６０に格納されている必要はなく、ＣＤ−ＲＯＭ等の記憶媒体に記憶されたこのプログラムを、基地局装置１０００が読み出して実行するようにしてもよい。また、公衆回線、インターネット、ＬＡＮ（Local Area Network）、ＷＡＮ（Wide Area Network）等を介して基地局装置１０００に接続される他のコンピュータ（またはサーバ）等にこのプログラムを記憶させておき、基地局装置１０００がこれらからプログラムを読み出して実行するようにしてもよい。
【００６８】
上述してきたように、本実施例では、必要が生じた場合にのみ、基地局同士の自律動作によって近隣セル情報の更新が自動的に実行されるように構成したので、上位装置や回線に負荷をかけることなく、近隣セル情報の維持管理に要する工数を低減させることができる。
【００６９】
以上の各実施例を含む実施形態に関し、さらに以下の付記を開示する。
【００７０】
（付記１）自局のセルに隣接するセルのリストを自局のセルごとに記憶する近隣セル情報記憶手段と、
前記近隣セル情報記憶手段から所定の基地局装置のセルと前記所定の基地局装置のセルに隣接する自局のセルの組合せを抽出して、抽出された組合せを含む通知メッセージを生成し、該通知メッセージを前記所定の基地局装置へ送信させる通知手段と
を備えることを特徴とする基地局装置。
【００７１】
（付記２）ハンドオーバを制御するための制御情報を自局のセルごとに記憶する自局セル情報記憶手段をさらに備え、
前記通知手段は、前記組合せに含まれる自局のセルに対応する前記制御情報を前記自局セル情報記憶手段から取得し、前記通知メッセージに含ませることを特徴とする付記１に記載の基地局装置。
【００７２】
（付記３）前記通知手段は、基地局装置間で制御情報をやりとりするための回線において他の基地局装置との接続が新たに検出された場合に、該他の基地局装置を前記所定の基地局装置として、前記通知メッセージを生成することを特徴とする付記１または２に記載の基地局装置。
【００７３】
（付記４）隣接する基地局装置の一覧を記憶する隣接基地局情報記憶手段をさらに備え、
前記通知手段は、前記近隣セル情報記憶手段の内容が変更された場合に、前記隣接基地局情報記憶手段に記憶されている各基地局装置を前記所定の基地局装置として、前記通知メッセージを生成することを特徴とする付記１〜３のいずれか１つに記載の基地局装置。
【００７４】
（付記５）前記近隣セル情報記憶手段の内容が変更された場合に、前記隣接基地局情報記憶手段に記憶されている各基地局装置に対して、前記通知メッセージの送信を要求する要求メッセージを送信する要求手段をさらに備えることを特徴とする付記４に記載の基地局装置。
【００７５】
（付記６）前記通知手段は、前記通知メッセージの送信を要求する要求メッセージが受信された場合に、該要求メッセージの送信元の基地局装置を前記所定の基地局装置として、前記通知メッセージを生成することを特徴とする付記１〜５のいずれか１つに記載の基地局装置。
【００７６】
（付記７）前記通知メッセージが他の基地局装置から送信された場合に、該通知メッセージに含まれる組合せのうち、前記近隣セル情報記憶手段に記憶されていない組合せを前記近隣セル情報記憶手段に記憶させる近隣セル情報更新手段をさらに備えることを特徴とする付記１〜６のいずれか１つに記載の基地局装置。
【００７７】
（付記８）自局のセルに隣接するセルのリストを自局のセルごとに記憶する近隣セル情報記憶手段と、
他の基地局装置から、該他の基地局装置のセルと、該他の基地局装置のセルに隣接する当該の基地局装置のセルの組合せを含む通知メッセージが送信された場合に、該通知メッセージに含まれる組合せのうち、前記近隣セル情報記憶手段に記憶されていない組合せを前記近隣セル情報記憶手段に記憶させる近隣セル情報更新手段と
を備えることを特徴とする基地局装置。
【００７８】
（付記９）自局のセルに隣接するセルのリストを自局のセルごとに記憶する近隣セル情報記憶手段を備える基地局装置において実行される近隣セル情報管理プログラムであって、
前記近隣セル情報記憶手段から所定の基地局装置のセルと前記所定の基地局装置のセルに隣接する自局のセルの組合せを抽出して、抽出された組合せを含む通知メッセージを生成し、該通知メッセージを前記所定の基地局装置へ送信させる通知手順
をプロセッサに実行させることを特徴とする近隣セル情報管理プログラム。
【００７９】
（付記１０）前記基地局装置は、ハンドオーバを制御するための制御情報を自局のセルごとに記憶する自局セル情報記憶手段をさらに備え、
前記通知手順は、前記組合せに含まれる自局のセルに対応する前記制御情報を前記自局セル情報記憶手段から取得し、前記通知メッセージに含ませることを特徴とする付記９に記載の近隣セル情報管理プログラム。
【００８０】
（付記１１）前記通知手順は、基地局装置間で制御情報をやりとりするための回線において他の基地局装置との接続が新たに検出された場合に、該他の基地局装置を前記所定の基地局装置として、前記通知メッセージを生成することを特徴とする付記９または１０に記載の近隣セル情報管理プログラム。
【００８１】
（付記１２）前記基地局装置は、隣接する基地局装置の一覧を記憶する隣接基地局情報記憶手段をさらに備え、
前記通知手順は、前記近隣セル情報記憶手段の内容が変更された場合に、前記隣接基地局情報記憶手段に記憶されている各基地局装置を前記所定の基地局装置として、前記通知メッセージを生成することを特徴とする付記９〜１１のいずれか１つに記載の近隣セル情報管理プログラム。
【００８２】
（付記１３）前記近隣セル情報記憶手段の内容が変更された場合に、前記隣接基地局情報記憶手段に記憶されている各基地局装置に対して、前記通知メッセージの送信を要求する要求メッセージを送信する要求手順をさらにプロセッサに実行させることを特徴とする付記１２に記載の近隣セル情報管理プログラム。
【００８３】
（付記１４）前記通知手順は、前記通知メッセージの送信を要求する要求メッセージが受信された場合に、該要求メッセージの送信元の基地局装置を前記所定の基地局装置として、前記通知メッセージを生成することを特徴とする付記９〜１３のいずれか１つに記載の近隣セル情報管理プログラム。
【００８４】
（付記１５）前記通知メッセージが他の基地局装置から送信された場合に、該通知メッセージに含まれる組合せのうち、前記近隣セル情報記憶手段に記憶されていない組合せを前記近隣セル情報記憶手段に記憶させる近隣セル情報更新手順をさらにプロセッサに実行させることを特徴とする付記９〜１４のいずれか１つに記載の近隣セル情報管理プログラム。
【００８５】
（付記１６）自局のセルに隣接するセルのリストを自局のセルごとに記憶する近隣セル情報記憶手段を備える基地局装置において実行される近隣セル情報管理プログラムであって、
他の基地局装置から、該他の基地局装置のセルと、該他の基地局装置のセルに隣接する当該の基地局装置のセルの組合せを含む通知メッセージが送信された場合に、該通知メッセージに含まれる組合せのうち、前記近隣セル情報記憶手段に記憶されていない組合せを前記近隣セル情報記憶手段に記憶させる近隣セル情報更新手順
をプロセッサに実行させることを特徴とする近隣セル情報管理プログラム。
【００８６】
（付記１７）自局のセルに隣接するセルのリストを自局のセルごとに記憶する第１の近隣セル情報記憶手段を備える第１の基地局装置と、自局のセルに隣接するセルのリストを自局のセルごとに記憶する第２の近隣セル情報記憶手段を備える第２の基地局装置とによって実行される近隣セル情報管理方法であって、
前記第１の基地局装置が、前記第１の近隣セル情報記憶手段から前記第２の基地局装置のセルと前記第２の基地局装置のセルに隣接する自局のセルの組合せを抽出して、抽出された組合せを含む通知メッセージを生成し、該通知メッセージを前記第２の基地局装置へ送信する通知工程と、
前記第２の基地局装置が、前記通知メッセージに含まれる組合せのうち、前記第２の近隣セル情報記憶手段に記憶されていない組合せを前記第２の近隣セル情報記憶手段に記憶させる近隣セル情報更新工程と
を含むことを特徴とする近隣セル情報管理方法。
【００８７】
（付記１８）前記第１の基地局装置は、ハンドオーバを制御するための制御情報を自局のセルごとに記憶する自局セル情報記憶手段をさらに備え、
前記第１の基地局装置は、前記通知工程において、前記組合せに含まれる自局のセルに対応する前記制御情報を前記自局セル情報記憶手段から取得し、前記通知メッセージに含ませることを特徴とする付記１７に記載の近隣セル情報管理方法。
【００８８】
（付記１９）前記通知工程は、基地局装置間で制御情報をやりとりするための回線において前記第２の基地局装置との接続が新たに検出された場合に、前記通知メッセージを生成することを特徴とする付記１７または１８に記載の近隣セル情報管理方法。
【００８９】
（付記２０）前記通知工程は、前記第１の近隣セル情報記憶手段の内容が変更された場合に、前記通知メッセージを生成することを特徴とする付記１７〜１９のいずれか１つに記載の近隣セル情報管理方法。
【００９０】
（付記２１）前記第１の近隣セル情報記憶手段の内容が変更された場合に、前記第２の基地局装置に対して、前記通知メッセージの送信を要求する要求メッセージを送信する要求工程をさらに含むことを特徴とする付記１７〜２０のいずれか１つに記載の近隣セル情報管理方法。
【００９１】
（付記２２）前記通知工程は、前記通知メッセージの送信を要求する要求メッセージが前記第２の基地局装置から受信された場合に、前記通知メッセージを生成することを特徴とする付記１７〜２１のいずれか１つに記載の近隣セル情報管理方法。
【図面の簡単な説明】
【００９２】
【図１】本実施例に係る近隣セル情報更新方法の概要について説明するための図である。
【図２】本実施例に係る基地局装置の構成を示す機能ブロック図である。
【図３】隣接基地局情報のデータ構成の一例を示す図である。
【図４】近隣セル情報のデータ構成の一例を示す図である。
【図５】自局セル情報のデータ構成の一例を示す図である。
【図６】隣接局セル情報のデータ構成の一例を示す図である。
【図７】近隣局情報通知メッセージのフォーマットの一例を示す図である。
【図８】近隣局情報通知メッセージの一例を示す図である。
【図９】近隣局情報通知メッセージ生成処理の処理手順を示すフローチャートである。
【図１０】近隣セル情報更新処理の処理手順を示すフローチャートである。
【図１１】基地局装置＃３が増設された場合の動作を示すシーケンス図である。
【図１２】基地局装置＃３の近隣セル情報が変更された場合の動作を示すシーケンス図である。
【図１３】近隣セル情報管理プログラムを実行する場合の基地局装置の構成を示す機能ブロック図である。
【符号の説明】
【００９３】
１１〜１３  近隣セル情報
２１、２２  近隣局情報通知メッセージ
１０１、１０２  基地局装置
１１０  記憶部
１１１  隣接基地局情報
１１２  近隣セル情報
１１３  自局セル情報
１１４  隣接局セル情報
１２０  保守運用部
１３０  隣接基地局監視部
１４０  メッセージ送受信部
１５０  近隣セル情報管理部
１５１  近隣セル情報通知部
１５２  近隣セル情報要求部
１５３  近隣セル情報更新部
２００  保守運用局
３００  局データ
１０００  基地局装置
１０１０  ＣＰＵ
１０２０  入力装置
１０３０  媒体読取り装置
１０４０  ネットワークインターフェース装置
１０５０  ＲＡＭ
１０５１  近隣セル情報管理プロセス
１０６０  不揮発メモリ
１０６１  近隣セル情報管理プログラム
１０６２  近隣セル情報管理用データ
１０７０  バス
【図１】
0005131018.tif 000002
【図２】
0005131018.tif 000003
【図３】
0005131018.tif 000004
【図４】
0005131018.tif 000005
【図５】
0005131018.tif 000006
【図６】
0005131018.tif 000007
【図７】
0005131018.tif 000008
【図８】
0005131018.tif 000009
【図９】
0005131018.tif 000010
【図１０】
0005131018.tif 000011
【図１１】
0005131018.tif 000012
【図１２】
0005131018.tif 000013
【図１３】
0005131018.tif 000014